(57)【要約】【課題】  本発明は、印刷機、特に枚葉紙オフセット印刷機のための、記憶部と信号接続された制御装置であって、既に実行された印刷課題の設定値がメモリ内にデータセットの形で保存され、かつ、新たに印刷すべき印刷課題のために、印刷機予備設定用の値が、該制御装置と接続されている入力装置を通してデータセットの形で入力可能とされ、次に該制御装置を介して前記値が設定に用いられる制御装置において、印刷機を著しく改善できる制御装置を提供することを課題とする。【解決手段】  比較部４を設け、入力された印刷すべき印刷課題の値が、既に実行された印刷課題の値と該比較部を用いて比較できるようにし、斯かる比較を通して、入力された前記データセットを、予め決めておくことのできる規準に従って修正ないし変更できるようにした。【選択図】  図１
2004306611.tif 000002
【特許請求の範囲】
【請求項１】
記憶部と信号がつながるように接続された、印刷機、特に枚葉紙オフセット印刷機のための制御装置であって、既に実行された印刷課題の設定値が前記記憶部内にデータセットの形で保存されており、新たに印刷すべき印刷課題のために、印刷機の予備設定のための値が、該制御装置と接続されている入力装置を通してデータセットの形で入力可能とされ、こうして該制御装置によって前記値が設定されるように構成された制御装置において、
比較部（４）を備え、入力された印刷すべき印刷課題の値が、該比較部によって既に実行された印刷課題の値と比較可能とされ、この比較を通して、入力された前記データセットが、予め決めておくことのできる規準に従って修正ないし変更可能とされていることを特徴とする制御装置。
【請求項２】
請求項１に記載の制御装置において、
既に実行された印刷課題のデータセットの中から、予め決めておくことのできる規準に照らして印刷すべき印刷課題のデータセットに最大限一致するデータセットを、前記比較部（４）により算出できるように構成されていることを特徴とする制御装置。
【請求項３】
請求項１または請求項２に記載の制御装置において、
前記比較部（４）は、計算機として形成され、かつプログラム可能なフィルタを備えていることを特徴とする制御装置。
【請求項４】
請求項３に記載の制御装置において、
前記フィルタは、パラメータ化可能とされていることを特徴とする制御装置。
【発明の詳細な説明】
【技術分野】
【０００１】
本発明は、請求項１の前提部分おいて書き部に記載の印刷装置のための制御部に関する。
【背景技術】
【０００２】
印刷課題を実行するためには、印刷機に関わる多くの設定を行わなければならない。多重型の枚葉紙オフセット印刷機の場合、例えば、各印刷装置内におけるインキ配量部材においてこういった多くの設定が行われる。これらのインキ配量部材は、印刷する主題に応じて予め決められているゾーン毎の必要インキ量に合わせ、調節がなされなければならない。さらに、湿し剤も然るべく調整されなければならない。給紙装置内のみならず、排紙装置内においても、枚葉紙の縦ならびに横のフォーマットに装置を適宜合わせなければならない。該当する装置は、例えばエア吹き付け装置、枚葉紙分離装置、整列機（Geradestosser）、枚葉紙減速機（Bogenbremsen）等である。最後に、印刷胴ないし圧胴を被印刷材料厚さに合わせたり、枚葉紙案内装置の空気吸引量、空気送出量の供給を調整したりすることも必要である。
【０００３】
できるだけ早くしかも印刷損紙もほんのわずかな量にしながら要求される印刷品質を実現するために、予備調整が行われる。つまり、上述の装置は、制御装置を介して予め決められた値に遠隔設定できるようになっている。その際、配量部材に関わるインキ予備調整用の値は、印刷前段階（予備段階）から得られるか、もしくは各印刷装置に張り付けられた印刷版を走査ないし検査することで得られる。型に合わせた設定は、印刷機用の操縦部ないしコントロールステーションにおいて入力装置から手動で行われ、被印刷材料に合わせた空気吸引ないし空気吹き出し装置（給紙装置、排紙装置、枚葉紙案内装置）の設定は、印刷工により経験値にたよって行われたり、もしくは課題が再び繰り返される場合には、保存された値が設定されることになる。予備設定が正確に行われれば行われるほど、印刷中に行わなければならない補正もそれだけ少なくて済み、それに伴い印刷損紙の発生も少なくなる。
【０００４】
反復課題（繰り返し課題）、つまり、後から同じ印刷課題が同じ主題でもう一度行われるような場合には、前に一度用いられ、要求される印刷品質が得られる設定を、再度利用することができる。そのために、印刷機の制御装置は、メモリ（記憶部）を備えている。このメモリ内に、然るべき印刷課題の設定が蓄積され、さらにはそれによって、印刷課題がさらに他の値（版の高さ、印刷材料種類、印刷時の問題に対する指示）と一緒に関連付けられて蓄積される。これらの値は、後から選択することができ、設定のために呼び出すことができる。
【０００５】
例えば、予備設定を行う上述のような印刷機の制御例が、独国特許出願公開第３４１０６８３号明細書（特許文献１）ならびに独国特許発明第４００３８３４号明細書（特許文献２）に示されている。欧州特許出願公開第０４０１２４１号明細書（特許文献３）は、印刷機用のインキ予備設定システムについて記載している。この明細書では、予備設定データが予備印刷段階のデータから取り込まれるようになっている。
【０００６】
これまでに、一つの印刷課題を表現するデータや、特に印刷前段階（予備印刷段階）からくるデータをどのように構築すればよいのか、これらのデータをどのフォーマットが表すようにすればよいのかという標準が開発されてきた。このとき、これらのいわゆるジョブ・フォーマットの定義は、インキや湿し剤の予備設定、型の入力値、課題の高さ、被印刷材料の種類等などを含んでいる。
【０００７】
一つの印刷課題を新たに設定するとき、一つのデータセットを与える値が全てにわたって存在していない場合には、印刷機の特定の構成要素に関しては、適切な予備設定を行うことができない。例えば、一つの印刷課題において湿し剤に関する入力値が欠けると、印刷機を走らせてから、テスト枚葉紙の判定に基づきながら同時に経験にたよって印刷工が湿し剤を付与しなければならない。この結果、要求される印刷品質が得られるまでの枚葉紙の印刷損紙数が増えてしまう。この場合に該当するのが、例えば、被印刷材料厚さだけが与えられていて紙質が与えられていない場合である。周知のように、紙質ないし紙の種類も、湿し剤の設定やその他の設定を左右する。同様のことが他の残りの予備設定に対しても当てはまる。
【特許文献１】独国特許出願公開第３４１０６８３号明細書
【特許文献２】独国特許発明第４００３８３４号明細書
【特許文献３】欧州特許出願公開第０４０１２４１号明細書
【発明の開示】
【発明が解決しようとする課題】
【０００８】
従って、本発明の課題は、請求項１の前提部分おいて書き部に記載の制御装置を拡張して、印刷機の予備設定における著しい改善を達成できるようにすることにある。
【課題を解決するための手段】
【０００９】
この課題は、請求項１の特徴部分に記載の構成によって解決される。本発明のさらに他の構成は、下位請求項に与えられている。
【００１０】
本発明によれば、制御装置が比較部を備え、この比較部によって、予備設定に使われるとともに入力装置を通して入力されるデータセットの値と、メモリ内に保持されている既に実行された印刷課題のデータセットの値とが比較可能とされており、さらに、入力されて予備設定に使われるデータセットの値が、この比較による結果に応じて、修正／変更できるようになっている。新たに実行すべき印刷課題の前に検出された予備設定値は、自らの手で印刷機のコントロールステーションを介してか、あるいは読み取り装置を介して、もしくは直接ネットワークを介してかのいずれかによって、予備印刷段階から得てから入力することができる。
【００１１】
本発明の好ましい実施形態によれば、存在していないか入力されていない予備設定値は、予め与えることができる規準に従ってできるだけ最も似通ったデータセットから補うことができる。オフセット印刷器の湿し装置の設定に関して予備設定がなされていないときは、本発明により、既に実行されたメモリ内に蓄えられている以前の印刷課題のデータセットの中から、インキ配量部材の設定が類似か同一であったようなデータセットが、比較部によって検出できるようになっている。
【００１２】
本発明による比較部により、予備設定が明らかに改善され、これにより、要求される印刷品質が達成されるまでの予備走行時の印刷損紙の少量化が実現されるとともに、それに伴う時間の短縮化ももたらされる。特に優れているのは、課題の仕掛かりから課題の処理までの期間がしばしば非常に長いことと、それに伴って変化する印刷ホール内の条件を考慮に入れることができるという点である。実行された印刷課題の保存された設定値と、印刷ホール内の機械の現在の状態（実際の予備設定値）とを比較することによって、印刷機の準備が整うまでに、保存された以前の古い課題の値を現在の機械の状態に適合させることができる。
【００１３】
上記比較規準の実施形態は、比較部内において、ソフトウェアで実体化されたフィルタである。このフィルタは、パラメータ化可能とされている。すなわち、上記比較規準は、できるだけ良く似た印刷課題ないしはその課題のデータセットを特定するために改変可能とされている。このとき、一致の度合いを指定することができるようになっていて、この一致度が、新たに実行すべき印刷課題の修正／変更された値を補正するのに使われるようになっている。
【発明を実施するための最良の形態】
【００１４】
以下に、図面に基づき本発明の実施形態を説明する。
【００１５】
印刷機１は、制御装置２に接続されている。この制御装置２により、印刷装置内におけるインキ装置内の配量装置、印刷装置内の湿し装置、印刷装置内及び印刷装置間における枚葉紙案内装置、及び排紙装置内の紙送り装置ならびに紙受け取り装置における枚葉紙分離装置が特に制御可能とされている。枚葉紙オフセット印刷機の上記構成要素内の対応する装置は、図示されていないが、これらは周知のものである。
【００１６】
制御装置２は、メモリ３と信号がつながるように接続されており、このメモリ３内に既に実行された印刷課題の設定がデータセット形式で保存されている。ここで、メモリ３内に整理され保存されたデータセットは、実行された印刷課題にそのとき付随していたあらゆる設定、ならびに特に個々の印刷装置において印刷によって消費されたり印刷し損ねたインキ、湿し剤の添加、被印刷材料の坪量ならびにその品質や種類といった付加的な情報を保有している。
【００１７】
制御装置２は、さらに印刷機１のコントロールステーション５（操縦部）と信号がつながるように接続されている。このコントロールステーション５を介して、データセットの形で予備設定値を入力することができる。入力は、キーボードから手で、あるいはデータ保持体（例えばディスクないし磁気カード）から、あるいは図示されてはいないもののネットワークを介して、印刷前段階から直接行うことができる。
【００１８】
制御装置２は、比較部４を備えている。この比較部によって、コントロールステーション５から送られてくる新たに実行すべき印刷課題のデータセットの値を、メモリ３（記憶部）に蓄えられたデータセットの値と比較することができる。こうして、事前に設定可能な一致規準に照らして、新たな印刷課題に最も近い印刷課題が算出できるようになっている。このようにして、新たに実行すべき印刷課題のデータセットが例えば特定の予備設定値に関して空白を有しているとき、つまり、その値が何も存在しないとき、斯かる空白になっている値を、既に実行された似通った印刷課題から持ってくることができる。
【図面の簡単な説明】
【００１９】
【図１】制御装置が配設されかつコントロールステーションを有する印刷機を示す図である。
【符号の説明】
【００２０】
１・・・枚葉紙オフセット印刷器
２・・・制御装置
３・・・メモリ（記憶部）
４・・・比較部
５・・・コントロールステーション（操縦部）
【図１】
2004306611.tif 000003